(57)【要約】【課題】回転螺旋を有した選別筒内を穀粒搬送しながら、この選別筒の選別孔から屑粒を漏出選別する揚穀選別形態にあっては、穀粒の落下方向と選別孔から横外周方向への漏出方向とが異なるため、選別作用が円滑に行われ難く、選別孔の目詰りを生じ易く、選別効率を高めることが難しい。しかも、この揚穀選別機を主選別機等と併用設置して使用することが多く選別筒としてできるだけ小径選別筒、及び小形選別筒形態として取扱性の向上を図りたいものである。【解決手段】選別孔１を形成した選別筒２の内側に穀粒を搬送する回転螺旋３を設け、この螺旋３ピッチ間には、板面４を放射方向Ｄに対して後退角Ｅを有するように傾斜させた取付ラグ２１を設け、該取付ラグ２１に、先端部５が選別筒２内周面に摺接湾曲可能の弾性板６を設けたことを特徴とする揚穀選別機の構成とする。【選択図】図１
2009000629.tif 000002
【特許請求の範囲】
【請求項１】
選別孔（１）を形成した選別筒（２）の内側に穀粒を搬送する回転螺旋（３）を設け、この螺旋（３）ピッチ間には、板面（４）を放射方向（Ｄ）に対して後退角（Ｅ）を有するように傾斜させた取付ラグ（２１）を設け、該取付ラグ（２１）に、先端部（５）が選別筒（２）内周面に摺接湾曲可能の弾性板（６）を設けたことを特徴とする揚穀選別機。
【請求項２】
前記弾性板（６）は、一定間隔毎に分割して螺旋（３）のピッチに沿って配置し、これら前後に相隣接する弾性板（６）の前後縁部を回転方向において重合（Ｆ）するように設けたことを特徴とする請求項１に記載の揚穀選別機。
【発明の詳細な説明】
【技術分野】
【０００１】
この発明は、穀粒を揚穀搬送しながら整粒と屑粒に選別する揚穀選別機に関するもので、効果的な選別孔の目詰り防止と選別性能の向上を図るものである。
【背景技術】
【０００２】
選別筒を上下方向に設定して、内部に穀粒搬送用の螺旋を設け、穀粒を揚穀しながら選別する技術（例えば、特許文献１参照）が知られている。
【特許文献１】特開２０００−２６２９７３号公報（第２頁、図１）
【発明の開示】
【発明が解決しようとする課題】
【０００３】
回転螺旋を有した選別筒内を穀粒搬送しながら、この選別筒の選別孔から屑粒を漏出選別する揚穀選別形態にあっては、穀粒の落下方向と選別孔から横外周方向への漏出方向とが異なるため、選別作用が円滑に行われ難く、選別孔の目詰りを生じ易く、選別効率を高めることが難しい。しかも、この揚穀選別機を主選別機等と併用設置して使用することが多く選別筒としてできるだけ小径選別筒、及び小形選別筒形態として取扱性の向上を図りたいものである。
【課題を解決するための手段】
【０００４】
請求項１に記載の発明は、選別孔１を形成した選別筒２の内側に穀粒を搬送する回転螺旋３を設け、この螺旋３ピッチ間には、板面４を放射方向Ｄに対して後退角Ｅを有するように傾斜させた取付ラグ２１を設け、該取付ラグ２１に、先端部５が選別筒２内周面に摺接湾曲可能の弾性板６を設けたことを特徴とする揚穀選別機の構成とする。選別筒２内で螺旋３を回転することによって、この選別筒２の下端部に供給される穀粒を上方へ搬送しながら、途中で屑粒をこの選別筒２周面の選別孔１から外周へ排出し、残留の整粒を上端部へ搬送選別して取出すことができる。このような螺旋３の回転による揚穀作用において、この螺旋３間に設ける弾性板６の後退角Ｅを形成した板面４及び、選別筒２内周面に摺接湾曲する摺接面部と、この選別孔１を形成する選別筒２内周面との間に穀粒を挟持するようにして落下を適度に防止し、この穀粒の揚穀性を維持すると共に、この穀粒の選別孔１からの押出排出力を強く維持して、屑粒の選別孔１からの押出排出を速やかに行わせて、目詰りを防止すると共に、選別性を良好に保持する。
【０００５】
請求項２に記載の発明は、前記弾性板６は、一定間隔毎に分割して螺旋３のピッチに沿って配置し、これら前後に相隣接する弾性板６の前後縁部を回転方向において重合Ｆするように設けたことを特徴とする揚穀選別機である。前記のような弾性板６は、一定間隔毎に分割した形態に配置されるが、螺旋３回転時の各隣接の弾性板６は、前・後端縁部がオーバーラップした状態で回転するため、前記のような選別孔１形成の選別筒２内周面との摺接による穀粒の挟持搬送作用の維持、及び屑粒の押出排出の維持を行って、効率の良い揚穀作用、及び選別作用を行わせることができる。
【発明の効果】
【０００６】
請求項１に記載の発明は、板面４を放射方向Ｄに対して後退角Ｅ有するように傾斜させているので、小径選別筒２内で弾性板６の放射方向Ｄへの長さを長くすることができ、選別筒２の内周面と、回転螺旋３間の弾性板６の板面４、乃至先端部５との間に揚穀穀粒を案内挟持し易くして、屑粒の選別孔１からの押出排出力によって目詰り防止をしながら、揚穀、及び選別を良好に行わせることができる。又、板面４に後退角Ｅを有するよう傾斜したことで、揚穀穀粒の落下を適宜に防止し、回転螺旋３の駆動負荷を低減させることができるという効果もある。
【０００７】
請求項２に記載の発明は、各弾性板６前・後端部の回転軌跡の重合代によって、選別筒２内周面に沿う揚穀穀粒の搬送、及び屑粒の選別孔１からの押出漏出を円滑に、かつ的確に行わせて、揚穀、及び選別性能を高めることができる。
【発明を実施するための最良の形態】
【０００８】
図例に基づいて、揚穀選別機７は、穀粒搬送用の回転螺旋３を内装する選別筒２と、この下端部にあって螺旋３の軸８を連結して回転する電動モータ９、これらを床面に支持するスタンド１０、及び、選別筒２の下端部に穀粒を供給する供給ホッパー１１、選別筒２の選別孔１から漏出される屑粒を取出す屑粒シュータ１２、この選別筒２の上端部へ残留搬送された整粒を取出す整粒シュータ１３等を主体として構成される。このような揚穀選別機７は、螺旋３の回転によって、供給ホッパー１１に供給した穀粒を選別筒２内上方へ搬送しながら、屑粒を選別筒２の選別孔１から外周へ漏出させ、整粒を上端の整粒シュータ１３から漏出するものであり、例えば、籾摺機から取出される玄米を受けて選別する玄米選別機１４を一次選別機とすれば、この玄米選別機１４から取出される一次選別機の小米、屑米混じりの玄米の供給を受けて再度選別する二次選別機として使用することも可能である。
【０００９】
ここにおいて、この発明に係る揚穀選別機は、選別孔１を形成した選別筒２の内側に穀粒を搬送する回転螺旋３を設け、この螺旋３ピッチ間には、板面４を放射方向Ｄに対して後退角Ｅを有するように傾斜させた取付ラグ２１を設け、該取付ラグ２１に、先端部５が選別筒２内周面に摺接湾曲可能の弾性板６を設けたことを特徴とする揚穀選別機の構成とする。選別筒２内で螺旋３を回転することによって、この選別筒２の下端部に供給される穀粒を上方へ搬送しながら、途中で屑粒をこの選別筒２周面の選別孔１から外周へ排出し、残留の整粒を上端部へ搬送選別して取出すことができる。このような螺旋３の回転による揚穀作用において、この螺旋３間に設ける弾性板６の後退角Ｅを形成した板面４及び、選別筒２内周面に摺接湾曲する摺接面部と、この選別孔１を形成する選別筒２内周面との間に穀粒を挟持するようにして落下を適度に防止し、この穀粒の揚穀性を維持すると共に、この穀粒の選別孔１からの押出排出力を強く維持して、屑粒の選別孔１からの押出排出を速やかに行わせて、目詰りを防止すると共に、選別性を良好に保持する。
【００１０】
又、前記弾性板６は、一定間隔毎に分割して螺旋３のピッチに沿って配置し、これら前後に相隣接する弾性板６の前後縁部を回転方向において重合Ｆするように設けたことを特徴とする揚穀選別機である。前記のような弾性板６は、一定間隔毎に分割した形態に配置されるが、螺旋３回転時の各隣接の弾性板６は、前・後端縁部がオーバーラップした状態で回転するため、前記のような選別孔１形成の選別筒２内周面との摺接による穀粒の挟持搬送作用の維持、及び屑粒の押出排出の維持を行って、効率の良い揚穀作用、及び選別作用を行わせることができる。
【００１１】
前記螺旋軸８の上・下両端部は、上・下メタル１５，１６にベアリング等を介して回転自在に軸受けし、これら上・下メタル１５，１６間にわたって、左右二つ割形態（半円筒形態）の半筒２Ａ，２Ｂの接合縁１７を重合接合して、内部を円筒形状とする選別筒２の上下両端部を支持させて構成する。これら半筒２Ａ，２Ｂの接合縁１７相互間はボルト穴２５に挿通するボルト、ナット２０によって締付けて固定することができる。この選別筒２は円周方向に沿う凹凸条１８，１９が形成されて、この選別筒２の内周面の凹条部１８底面部に沿って細長い選別孔１を並列させて形成している。
尚、この選別筒２は、左右二つ割形態（半円筒形態）を重合接合する形態に限定するものではなく、円筒形もしくは、略円筒形の多角形状であっても良い。
【００１２】
螺旋３は、螺旋軸８方向に沿って一定のピッチで螺曲形成されて、この螺旋３軸８の回転Ａによって、穀粒をこの螺旋３の搬送面で掬い上げるようにして搬送Ｂすることができる。これら選別筒２の内周面と螺旋３の回転面との間は適宜の間隔部Ｃを形成する。前記弾性板６は、略平行四辺形状に形成して、螺旋３のピッチ間隔よりも短く（例えば１/２ピッチ）している。螺旋３の搬送面（上側面）とは反対（下側面）側に螺旋軸８方向に沿って一体構成の取付ラグ２１を設け、この取付ラグ２１に弾性板６を重合させてリベット２２で固定してある。この取付ラグ２１は、螺旋軸８の外周に放射方向線Ｄに対して後退角Ｅを有するように傾斜させて設け、従って、これに重合させて取付ける弾性板６も同様に傾斜の板面４を形成する。この取付ラグ２１の回転側に取付けられる弾性板６の上端縁は、螺旋３の裏面（下面）側に接近させているが、下端縁は螺旋３の表面（上面）側との間に適宜の搬送間隔２３を形成している。しかも、これら前・後に隣接して配置される弾性板６の相互間には、下側の弾性板６の上端縁と上側の弾性板６の下端縁との回転軌跡線Ｋが若干重合代Ｆを有する形態に設定する。そして、これら各弾性板６の先端部５を取付ラグ２１よりも長く外周へ突出させて前記螺旋３回転径外周の間隔部Ｃに張出させて、選別筒２の内周面に摺接させる。この弾性板６の先端部は、選別筒２の内周面に摺接されて円弧状曲面に湾曲して、選別筒２内周面に対する摺接面積を広くし、揚穀穀粒を軽く選別孔１側へ押圧するものである。又、弾性板６の取付ラグ２１の送面側に重合して取付けるか、又は裏面側に取付けることも可能である。
【００１３】
前記選別筒２の外周部には、外筒２６を設けて被覆し、選別孔１から漏出する屑粒を受けて流下案内し、この外筒２６の下端部に設ける屑粒シュータ１２から取出すことができる。前記半筒２Ａ，２Ｂを上メタル１５、下メタル１６間にわたって取付けて選別筒２を構成するときは、これら半筒２Ａ、２Ｂの一端部に形成の穴４０間にわたってクリップリング２７を嵌合させて連結しておき、この状態で半開き形態とする選別筒２を螺旋３、及び上・下メタル１５，１６の外周部に嵌合支持させてこれら選別筒２の相対向する接合縁１７部を接合重合させて、各ボルト穴２５にボルト、ナット２０を挿通して締付ける。すなわち半開可能の選別筒２を螺旋３周りに掛け渡す形態にして組立することができるため、選別筒２の組立構成を簡単、容易にし、安全に行うことができる。又、これら半筒２Ａ，２Ｂを分解して螺旋３周部から取外すときもグリップリング２７が嵌合してあるので容易に分解できる。
【００１４】
前記スタンド１０によって揚穀選別機７を床面上に立設する。このとき選別筒２は床面に対して適宜の傾斜角のもとに設置することができ、この角度を調節αすることができる。そして、この供給ホッパー１１を前記玄米選別機１４の取出口下にのぞませる。この玄米選別機１４の取出される屑粒を含む玄米粒は、回転螺旋３によって揚穀されると共に、この揚穀搬送に伴って小粒や、屑粒等が選別孔１から漏出されて、屑粒シュータ１２から取出される。又、残された整粒は選別筒２内を上昇されて、上端部の整粒シュータ１３から取出される。このような選別筒２内での揚穀、選別作用では、螺旋３の回転Ａによって掬い上げ搬送される穀粒は、選別筒２の内周面に沿って押し上げられるように搬送される。選別筒２の下端部近くでは供給ホッパー１１から供給される量が多く、揚穀量が十分にあるため、前記弾性板６の下端縁と螺旋３の搬送面との間の搬送間隔２３を越えて多く揚送される穀粒は、この弾性板６と選別筒２の内周面との間に挟持されるよう案内されて、この弾性板６の先端部５によって選別筒２内周面へ押圧される。このとき、特に粒径の小さい屑粒は、選別孔１内へ嵌合したり、この凹条部１８内に位置されて残留され易く、弾性板６先端部５の押圧力を受け易い状態にある。このため、屑粒はこの弾性板６の押圧力を受けて選別孔１から外側へ押出排出される。また、粒径の大きい整粒は、選別孔１から漏出されないで、選別筒２内の螺旋３の搬送面に滑落し易く、この搬送面による掬上搬送作用によって揚穀される。
【００１５】
又、このような螺旋３の回転によって穀粒の揚穀搬送作用と、選別孔１からの屑粒の漏出選別作用が行われるが、これらの作用と同時に弾性板６の先端部５が選別筒２の内周面に摺接して、選別孔１部に位置する屑粒を外側へ押出して目詰りのないように掃除する。従って、選別孔１は常時選別漏出の行われ易い状態に維持されて、選別効率を高くすることができる。又、この螺旋３のピッチに伴って間歇的に配置される弾性板６は、前後端部の回転域を相互にオーバーラップさせる形態であるから、この先端部５の選別筒２周面に対する摺接域を選別筒２の選別孔１全長にわたって設定させることができ、全長域にわたる選別孔１の屑粒詰りをなくして、選別効率を高めることができ、従って、又この選別筒２の径を小さくして簡素な構成とすることができる。
【００１６】
又、各弾性板６の先端縁部には、適宜深さの切目、乃至スリット２４を形成して、前記選別筒２内周面の各凹条部１８内、乃至選別孔１内への嵌合摺接作用を行わせ易くすることによって、屑粒の選別、排出作用を良好に行わせる構成とすることも可能である。
【００１７】
前記したように、この揚穀選別機７をのぞませて二次選別作業する形態に設置される一次選別作業用の玄米選別機１４は、円筒状の選別筒と、この選別筒内で回転する螺旋とを縦方向に設けて、籾摺機から取出される玄米を螺旋によって上方へ搬送しながら選別筒の選別孔から外周へ漏出して選別するもので、上部には選別された大整粒玄米を収容する整粒タンク３０を有して、この下部のシャッター３１を開くことによって、袋詰台３２上に支持される袋３３に供給収容させることができる。３４は袋口ホルダー、３５は選別筒外周に漏出した小整粒を含む玄米を取出すシュータである。このシュータ３５を前記揚穀選別機７の供給ホッパー１１にのぞませることができる。
【図面の簡単な説明】
【００１８】
【図１】揚穀選別機の側面図。
【図２】その一部の拡大図。
【図３】その断面図。
【図４】その選別筒部の一部斜視図。
【図５】選別筒部の構成を示す斜視図。
【図６】揚穀選別機の使用例を示す側面図。
【図７】揚穀選別機の使用例を示す側面図。
【符号の説明】
【００１９】
１    選別孔
２    選別筒
３    螺旋
４    板面
５    先端部
６    弾性板
２１  取付ラグ
Ｄ    放射方向
Ｅ    後退角
Ｆ    重合
【図１】
2009000629.tif 000003
【図２】
2009000629.tif 000004
【図３】
2009000629.tif 000005
【図４】
2009000629.tif 000006
【図５】
2009000629.tif 000007
【図６】
2009000629.tif 000008
【図７】
2009000629.tif 000009